(57)【要約】【課題】大きさの異なる収納物を保持することができる共通化が可能な収納ケースを提供すること。【解決手段】上蓋と下蓋から成り、合わせ部が支持部材によって開閉自在に軸固定された上蓋と下蓋とで構成され、これらの上蓋と下蓋に電動工具とその付属品（充電器６）を収納する収納部（電動工具収納部、充電器収納部、予備電池収納部）を設けて成る収納ケースにおいて、前記収納部に大小大きさの異なる収納物（充電器６）を収納可能とするとともに、収納物（充電器６）に当接する位置に移動して該収納物（充電器６）を保持する保持部材１５と、該保持部材１５を収納物（充電器６）側に付勢するスプリング（付勢部材）１７を設ける。【選択図】図４
2008260104.tif 000002
【特許請求の範囲】
【請求項１】
上蓋と下蓋から成り、合わせ部が支持部材によって開閉自在に軸固定された上蓋と下蓋とで構成され、これらの上蓋と下蓋に電動工具とその付属品を収納する収納部を設けて成る収納ケースにおいて、
前記収納部に大小大きさの異なる収納物を収納可能とするとともに、収納物に当接する位置に移動して該収納物を保持する保持部材と、該保持部材を収納物側に付勢する付勢部材を設けたことを特徴とする収納ケース。
【発明の詳細な説明】
【技術分野】
【０００１】
本発明は、電動工具とその付属品を収納するための収納ケースに関するものである。
【背景技術】
【０００２】
従来の電動工具用の収納ケースを図５及び図６に基づいて説明する。
【０００３】
図５及び図６は従来の収納ケースの上蓋と下蓋を開いた状態を示す平面図である。
【０００４】
図５及び図６に示す収納ケース１は、２つに分割された上蓋２と下蓋３をピン等の支持部材４によって開閉自在に軸固定して構成されており、上蓋２と下蓋３にはそれぞれ電動工具５と充電器６、予備用の蓄電池７を収納する電動工具収納部８と、充電器収納部９及び予備用蓄電池収納部１０が設けられている。
【０００５】
ところで、充電器６や蓄電池７は仕様の違いにより大きさが異なる。例えば、充電器６は充電時間や入力電圧の違いでトランスや電子部品を搭載した基板組立が違って大きさが異なり、又、蓄電池７はリチウムイオンやニッケル水素等の電池種類や電池電圧の違いで大きさが異なる。
【０００６】
しかし、電動工具５は仕様違いの充電器６や蓄電池７と組み合わせが可能であるが、収納ケース１を共用化するためには、大きさの異なる仕様違いの充電器６や蓄電池７が入らなければならない。そのため、図５に示すように、充電器収納部９や予備用蓄電池収納部１０はどうしても図６に示す大きな充電器６や大きな蓄電池７に合わせた形状となり、図５に示す小さい充電器６や小さい蓄電池７の押さえは不十分であった。
【０００７】
そのため、図５に示すように、電動工具５と小さい充電器６や小さい蓄電池７を組み合わせる場合は、工場出荷時に充電器収納部９や予備用蓄電池収納部１０にパッキン等の詰め物２１を貼り付けて充電器６や蓄電池７の飛散を防ぐようにしていた。
【発明の開示】
【発明が解決しようとする課題】
【０００８】
従来の収納ケースにおいては、小さい充電器や小さい蓄電池の組み合わせ品を使用する顧客が仕様違いの大きい充電器や大きい蓄電池を別途入手して収納する場合は、詰め物が邪魔となり収納できないという問題があった。
【０００９】
又、大きい充電器や大きい蓄電池の組み合わせ品を使用する顧客が小さい充電器や小さい蓄電池を収納ケースに収納する場合は、詰め物が付いてないために充電器や蓄電池の押さえが不十分で、これらの充電器や蓄電池が飛散して電動工具や他の収納物に傷を付けたり、破損させる可能性があった。そのため、収納ケ―スは組み合わせる付属品により詰め物の有無で仕様が変わり、共通化することができなかった。
【００１０】
本発明は上記問題に鑑みてなされたもので、その目的とする処は、大きさの異なる収納物を保持することができる共通化が可能な収納ケースを提供することにある。
【課題を解決するための手段】
【００１１】
上記目的を達成するため、本発明は、上蓋と下蓋から成り、合わせ部が支持部材によって開閉自在に軸固定された上蓋と下蓋とで構成され、これらの上蓋と下蓋に電動工具とその付属品を収納する収納部を設けて成る収納ケースにおいて、前記収納部に大小大きさの異なる収納物を収納可能とするとともに、収納物に当接する位置に移動して該収納物を保持する保持部材と、該保持部材を収納物側に付勢する付勢部材を設けたことを特徴とする。
【発明の効果】
【００１２】
本発明によれば、収納ケースの収納部に大小大きさの異なる収納物を収納可能とするとともに、収納物に当接する位置に移動して該収納物を保持する保持部材と、該保持部材を収納物側に付勢する付勢部材を設けたため、収納物の大きさが変わっても収納物を保持でき、収納物の飛散を防ぐことができるとともに、収納ケースの共通化を図ることができる。
【発明を実施するための最良の形態】
【００１３】
以下に本発明の実施の形態を添付図面に基づいて説明する。
【００１４】
図１は本発明に係る収納ケースの上蓋と下蓋を開いた状態を示す平面図、図２は図１のＡ部拡大詳細図、図３は図２のＢ−Ｂ線断面図、図４は図２のＣ−Ｃ線断面図である。
【００１５】
図１に示す収納ケース１は、２つに分割された上蓋２と下蓋３をピン等の支持部材４によって開閉自在に軸固定して構成されており、上蓋２と下蓋３にはそれぞれ電動工具５とその付属品である充電器６、予備用の蓄電池７を収納する電動工具収納部８と、充電器収納部９及び予備用蓄電池収納部１０がそれぞれ設けられている。ここで、充電器６や蓄電池７は仕様の違いにより大きさが異なるため、前記充電器収納部９と前記予備用蓄電池収納部１０は、大きさの異なる充電器６や蓄電池７が入るよう、大きな収納物に合わせた形状を有している。
【００１６】
又、充電器収納部９の下蓋３には、図３に示すように、爪部１１を有するレール１２が２本並設され、該レール１２の該爪部１１と係合する爪部１３と斜面部１４（図４参照）を有する保持部材１５がレール１２に沿って移動可能に設けられており、該保持部材１５は付勢部材であるスプリング１７によって常に充電器６側に付勢されている。
【００１７】
而して、図４に示すように、充電器６を矢印ｂ方向に収納すると、保持部材１５に設けられた斜面部１４が充電器６の側面１６に当接するため、保持部材１５は、スプリング１７の付勢力に抗して図の矢印ａ方向に押されて充電器６の通過を許容するとともに、充電器収納部９に収納された充電器６を押圧してこれを保持する。
【００１８】
上述のように、保持部材１５は充電器６の大きさに合った位置に移動して充電器６を充電器収納部９に収納するとともに、該充電器６をスプリング１７の付勢力によって押圧してこれを保持するため、大きさの異なる充電器６を飛散させることなく保持することができる。
【００１９】
又、予備用の蓄電池７についても上記と同様に保持部材１８が蓄電池７の大きさに合った位置にレール１９に沿って移動して蓄電池７を予備用蓄電池収納部１０に収納するとともに、該蓄電池７をスプリング２０の付勢力によって押圧してこれを保持するため、大きさの異なる蓄電池７を飛散させることなく保持することができ、収納ケース１の共通化を測ることができる。
【図面の簡単な説明】
【００２０】
【図１】本発明に係る収納ケースの上蓋と下蓋を開いた状態を示す平面図である。
【図２】図１のＡ部拡大詳細図である。
【図３】図２のＢ−Ｂ線断面図である。
【図４】図２のＣ−Ｃ線断面図である。
【図５】従来の収納ケースの上蓋と下蓋を開いた状態を示す平面図である。
【図６】従来の収納ケースの上蓋と下蓋を開いた状態を示す平面図である。
【符号の説明】
【００２１】
１      収納ケース
２      上蓋
３      下蓋
５      電動工具
６      充電器
７      蓄電池
８      電動工具収納部
９      充電器収納部
１０    予備用蓄電池収納部
１１    爪部
１２    レール
１３    爪部
１４    斜面部
１５    保持部材
１６    充電器側面
１７    スプリング（付勢部材）
１８    保持部材
１９    レール
２０    スプリング（付勢部材）
【図１】
2008260104.tif 000003
【図２】
2008260104.tif 000004
【図３】
2008260104.tif 000005
【図４】
2008260104.tif 000006
【図５】
2008260104.tif 000007
【図６】
2008260104.tif 000008